(57)【特許請求の範囲】
【請求項１】
画像表示装置であって、
ユーザの頭部に装着可能なフレームと、
前記フレームに支持される表示部と、
前記表示部に画像を表示させるための制御部と、
を備え、
前記フレームは、
前記表示部を支持し、前記フレームの装着時に前記ユーザの右眼に対向する位置と左眼に対向する位置とのうちの少なくとも一方に前記表示部を配置するフロント部と、
前記フレームの装着時に前記ユーザの右側頭部の外側に配置される右テンプル部であって、前端部が前記フロント部の右端部分に接続される、前記右テンプル部と、
前記フレームの装着時に前記ユーザの左側頭部の外側に配置される左テンプル部であって、前端部が前記フロント部の左端部分に接続される、前記左テンプル部と、
前記フレームの装着時に前記ユーザの右後頭部から右側頭部に亘る範囲に当接される右後方支持部であって、一方の端部が前記右テンプル部の後端部の近傍に接続され、他方の端部が、前記フレームを平面視する場合における前記フロント部と前記右テンプル部と前記左テンプル部とによって囲まれる領域の内側であって前記一方の端部よりも前方の位置に配置され、前記一方の端部と前記他方の端部との間の中間部は、前記フレームの装着時における前記ユーザの前記右後頭部及び前記右側頭部に近接する方向に湾曲する、前記右後方支持部と、
前記フレームの装着時に前記ユーザの左後頭部及び左側頭部に亘る範囲に当接される左後方支持部であって、一方の端部が前記左テンプル部の後端部の近傍に接続され、他方の端部が、前記領域の内側であって前記一方の端部よりも前方の位置に配置され、前記一方の端部と前記他方の端部との間の中間部は、前記フレームの装着時における前記ユーザの前記左後頭部及び前記左側頭部に近接する方向に湾曲する、前記左後方支持部と、
を備える、画像表示装置。
【請求項２】
前記右後方支持部の前記中間部は、前記一方の端部から後方に向かって伸びた後、前記フレームの装着時における前記ユーザの前記右後頭部に近接する方向に伸び、さらにその後前記ユーザの前記右後頭部及び前記右側頭部に沿うように前方に向かって伸びるように湾曲し、
前記左後方支持部の前記中間部は、前記一方の端部から後方に向かって伸びた後、前記フレームの装着時における前記ユーザの前記左後頭部に近接する方向に伸び、さらにその後前記ユーザの前記左後頭部及び前記左側頭部に沿うように前方に向かって伸びるように湾曲する、
請求項１に記載の画像表示装置。
【請求項３】
前記右後方支持部の前記中間部と、前記左後方支持部の前記中間部と、のうちの少なくとも一方は、前記フレームの装着時における前記ユーザの頭部から離れる方向に変形可能な弾性を備える、
請求項１又は２に記載の画像表示装置。
【請求項４】
前記フレームの装着時に前記ユーザの前記右側頭部から前記右後頭部に亘る範囲に当接される右前方支持部であって、一方の端部が前記右テンプル部の前記前端部の近傍に接続され、他方の端部が、前記領域の内側であって、前記一方の端部よりも後方の位置に配置され、前記一方の端部と前記他方の端部との間の中間部は、前記フレームの装着時における前記ユーザの前記右側頭部及び前記右後頭部に近接する方向に湾曲する、前記右前方支持部と、
前記フレームの装着時に前記ユーザの前記左側頭部から前記左後頭部に亘る範囲に当接される左前方支持部であって、一方の端部が前記左テンプル部の前記前端部の近傍に接続され、他方の端部が、前記領域の内側であって、前記一方の端部よりも後方の位置に配置され、前記一方の端部と前記他方の端部との間の中間部は、前記フレームの装着時における前記ユーザの前記左側頭部及び前記左後頭部に近接する方向に湾曲する、前記左前方支持部と、をさらに備える、
請求項１から３のいずれか一項に記載の画像表示装置。
【請求項５】
前記右前方支持部の前記中間部と、前記左前方支持部の前記中間部と、のうちの少なくとも一方は、前記フレームの装着時における前記ユーザの頭部から離れる方向に変形可能な弾性を備える、
請求項４に記載の画像表示装置。
【請求項６】
前記右前方支持部の前記中間部及び前記他方の端部の配置高さは、前記右後方支持部の前記中間部及び前記他方の端部の配置高さと異なり、
前記左前方支持部の前記中間部及び前記他方の端部の配置高さは、前記左後方支持部の前記中間部及び前記他方の端部の配置高さと異なる、
請求項４又は５に記載の画像表示装置。
【発明の詳細な説明】
【技術分野】
【０００１】
本明細書によって開示される技術は、ユーザの頭部に装着して使用される画像表示装置に関する。
【背景技術】
【０００２】
例えば、特開２０１２−８２９０号公報（以下、特許文献１という）には、ユーザの頭部に装着して使用される画像表示装置が開示されている。この画像表示装置は、ユーザの頭部に装着可能な眼鏡型のフレームと、フレームに支持される表示部と、フレームに備えられ、表示部に画像を表示させるための制御部と、を備える。フレームは、表示部を支持し、フレームの装着時にユーザの両眼に対向位置に表示部を配置するフロント部と、フレームの装着時にユーザの右耳の上に載置される右テンプル部と、フレームの装着時にユーザの左耳の上に載置される左テンプル部と、を備える。制御部は、フロント部と、右テンプル部と、左テンプル部と、のうちの一以上に支持される。
【発明の概要】
【発明が解決しようとする課題】
【０００３】
この種の画像表示装置において、例えばフレームに制御部を搭載する場合等には、画像表示装置の重量が重くなる傾向がある。そのような場合において、特許文献１の構成を有する画像表示装置では、装着時にユーザの両耳の上に大きい負担が加わるとともに、ユーザの頭部に安定して装着させることが難しい場合がある。【０００４】
本明細書では、装着時におけるユーザの耳への負担を軽減し得るとともに、ユーザの頭部に安定して装着させ得る画像表示装置を開示する。【０００５】
本明細書によって開示される画像表示装置は、ユーザの頭部に装着可能なフレームと、フレームに支持される表示部と、表示部に画像を表示させるための制御部と、を備える。フレームは、表示部を支持し、フレームの装着時にユーザの右眼に対向する位置と左眼に対向する位置とのうちの少なくとも一方に表示部を配置するフロント部と、フレームの装着時にユーザの右側頭部の外側に配置される右テンプル部であって、前端部がフロント部の右端部分に接続される、右テンプル部と、フレームの装着時にユーザの左側頭部の外側に配置される左テンプル部であって、前端部がフロント部の左端部分に接続される、左テンプル部と、フレームの装着時にユーザの右後頭部から右側頭部に亘る範囲に当接される右後方支持部であって、一方の端部が右テンプル部の後端部の近傍に接続され、他方の端部が、フレームを平面視する場合におけるフロント部と右テンプル部と左テンプル部とによって囲まれる領域の内側であって一方の端部よりも前方の位置に配置され、一方の端部と他方の端部との間の中間部は、フレームの装着時におけるユーザの右後頭部及び右側頭部に近接する方向に湾曲する、右後方支持部と、フレームの装着時にユーザの左後頭部及び左側頭部に亘る範囲に当接される左後方支持部であって、一方の端部が左テンプル部の後端部の近傍に接続され、他方の端部が、領域の内側であって一方の端部よりも前方の位置に配置され、一方の端部と他方の端部との間の中間部は、フレームの装着時におけるユーザの左後頭部及び左側頭部に近接する方向に湾曲する、左後方支持部と、を備える。【０００６】
上記の画像表示装置によると、フレームの装着時に、右テンプル部及び左テンプル部は、ユーザの側頭部の外側に配置され、ユーザの耳の上には載置されない。そして、右後方支持部がユーザの右後頭部及び右側頭部に亘る範囲に当接され、左後方支持部がユーザの左後頭部及び左側頭部に亘る範囲に当接される。右後方支持部及び左後方支持部がユーザの後頭部及び側頭部に亘って当接されることによって、画像表示装置の重量による負荷がユーザの後頭部及び側頭部に広く分散される。そのため、従来の眼鏡型の画像表示装置に比べて、ユーザの頭部に安定して装着させ得る。従って、上記の画像表示装置によると、装着時におけるユーザの耳への負担を軽減し得るとともに、ユーザの頭部に安定して装着させ得る。【０００７】
ここで、「前方」とは、画像表示装置を平面視した場合においてフロント部に近接する方向のことを含み、「後方」とは、画像表示装置を平面視した場合においてフロント部から離れる方向のことを含む。また、右テンプル部の前端部がフロント部の右端部分に接続されていることは、右テンプル部とフロント部とが一体に形成されていることを含む。同様に、左テンプル部の前端部がフロント部の左端部分に接続されていることは、左テンプル部とフロント部とが一体に形成されていることを含む。また、「フレームを平面視する場合におけるフロント部と右テンプル部と左テンプル部とによって囲まれる領域」は、「フレームの内部空間」と言い換えてもよい。【０００８】
右後方支持部の中間部は、一方の端部から後方に向かって伸びた後、フレームの装着時におけるユーザの右後頭部に近接する方向に伸び、さらにその後ユーザの右後頭部及び右側頭部に沿うように前方に向かって伸びるように湾曲してもよい。左後方支持部の中間部は、一方の端部から後方に向かって伸びた後、フレームの装着時におけるユーザの左後頭部に近接する方向に伸び、さらにその後ユーザの左後頭部及び左側頭部に沿うように前方に向かって伸びるように湾曲してもよい。【０００９】
この構成によると、フレームの装着時に、右後方支持部及び左後方支持部によって、ユーザの後頭部及び側頭部を包むように支持することができる。従って、高い装着性及び安定性を実現することができる。【００１０】
右後方支持部の中間部と、左後方支持部の中間部と、のうちの少なくとも一方は、フレームの装着時におけるユーザの頭部から離れる方向に変形可能な弾性を備えていてもよい。【００１１】
この構成によると、フレームの装着時に、右後方支持部の中間部と、左後方支持部の中間部と、のうちの少なくとも一方を、ユーザの頭部から離れる方向に弾性変形させることができる。これにより、フレームの装着時に、フレームを、ユーザの頭部の形状に合わせてフィットさせることができる。そのため、ユーザの頭部の形状にかかわらず、高い装着性を実現することができる。【００１２】
フレームの装着時にユーザの右側頭部から右後頭部に亘る範囲に当接される右前方支持部であって、一方の端部が右テンプル部の前端部の近傍に接続され、他方の端部が、領域の内側であって、一方の端部よりも後方の位置に配置され、一方の端部と他方の端部との間の中間部は、フレームの装着時におけるユーザの右側頭部及び右後頭部に近接する方向に湾曲する、右前方支持部と、フレームの装着時にユーザの左側頭部から左後頭部に亘る範囲に当接される左前方支持部であって、一方の端部が左テンプル部の前端部の近傍に接続され、他方の端部が、領域の内側であって、一方の端部よりも後方の位置に配置され、一方の端部と他方の端部との間の中間部は、フレームの装着時におけるユーザの左側頭部及び左後頭部に近接する方向に湾曲する、左前方支持部と、をさらに備えてもよい。【００１３】
この構成によると、右後方支持部及び左後方支持部によって、ユーザの後頭部から側頭部に亘る範囲を後方から支持するとともに、右前方支持部及び左前方支持部によって、ユーザの側頭部から後頭部に亘る範囲を前方から支持することができる。従って、より高い安定性を実現することができる。【００１４】
右前方支持部の中間部と、左前方支持部の中間部と、のうちの少なくとも一方は、フレームの装着時において、ユーザの頭部に押されることによって弾性変形してもよい。【００１５】
この構成によると、フレームの装着時に、右前方支持部の中間部と、左前方支持部の中間部と、のうちの少なくとも一方を、ユーザの頭部から離れる方向に弾性変形させることができる。これにより、フレームの装着時に、フレームを、ユーザの頭部の形状に合わせてフィットさせることができる。そのため、ユーザの頭部の形状にかかわらず、高い装着性を実現することができる。【００１６】
右前方支持部の中間部及び他方の端部の配置高さは、右後方支持部の中間部及び他方の端部の配置高さと異なり、左前方支持部の中間部及び他方の端部の配置高さは、左後方支持部の中間部及び他方の端部の配置高さと異なってもよい。【００１７】
この構成によると、右前方支持部と右後方支持部とによって、ユーザの右側頭部及び右後頭部のうちの高さ方向に異なる部分を保持することができ、左前方支持部と左後方支持部とによって、ユーザの左側頭部及び左後頭部のうちの高さ方向に異なる部分を保持することができる。そのため、装着時におけるさらに高い安定性を実現することができる。
【図面の簡単な説明】
【００１８】
【図１】画像表示装置の斜視図を示す。
【図２】図１とは異なる角度から見た画像表示装置の斜視図を示す。
【図３】図１、図２とは異なる角度から見た画像表示装置の斜視図を示す。
【図４】画像表示装置の平面図を示す。
【図５】画像表示装置の左側面図を示す。
【００１９】
（実施例）
図１〜図５は、本実施例の画像表示装置２を異なる角度から示す図である。図に示すように、本実施例の画像表示装置２は、ユーザ２００の頭部に装着して用いられる画像表示装置（いわゆるヘッドマウントディスプレイ）である。【００２０】
画像表示装置２は、フレーム１０と、右表示部２０と、左表示部２２と、カメラ３０と、右投影部４０と、左投影部４２と、コントロールボックス５０と、操作部６０と、を備える。以下では、右表示部２０と左表示部２２とをまとめて「表示部２０，２２」と呼び、右投影部４０と左投影部４２とをまとめて「投影部４０，４２」と呼ぶ場合がある。表示部２０，２２、カメラ３０、投影部４０，４２、コントロールボックス５０、及び操作部６０は、フレーム１０に備え付けられている。【００２１】
フレーム１０は、略眼鏡フレーム型の支持部材である。図に示すように、ユーザ２００は、頭部前面（顔面）側から両眼及び側頭部を覆うようにフレーム１０を装着することによって、画像表示装置２を頭部に装着することができる。フレーム１０は、フロント部１２と、右テンプル部１４と、左テンプル部１６と、右後方支持部７０と、左後方支持部８０と、右前方支持部９０と、左前方支持部１００と、を備える。【００２２】
フロント部１２は、フレーム１０の装着時にユーザ２００の顔の前面（より詳細にはユーザ２００の両眼に対向する位置）に配置される部材である。フロント部１２は、表示部２０，２２、カメラ３０、及び、投影部４０，４２を支持している。図１によく示されるように、フロント部１２の右側部分には右表示部２０が設けられ、左側部分には左表示部２２が設けられている。また、フロント部１２の前面上部の中央部分（いわゆるブリッジ部分）にはカメラ３０が設けられている。また、フロント部１２の前面の右端部分（即ち右表示部２０の右側の位置）には右投影部４０が設けられ、フロント部１２の前面の左端部分（即ち左表示部２２の左側の位置）には右投影部４２が設けられる。さらに、図２〜図４によく示されるように、フロント部１２の後面（即ちユーザ２００の顔面に対向する面）には、鼻パッド１８が設けられている。鼻パッド１８は、フレーム１０の装着時にユーザ２００の鼻の上に配置される。【００２３】
右テンプル部１４は、フレーム１０の装着時にユーザ２００の右側頭部の外側に配置される部材である。本実施例では、右テンプル部１４の前端部１４ａは、フロント部１２の後面の右端部分と一体に形成されている。他の例では、右テンプル部１４はフロント部１２と別体に形成されていてもよい。その場合、右テンプル部１４の前端部１４ａがフロント部１２の後面の右端部分に接続されていればよい。本実施例では、右テンプル部１４は、フレーム１０の装着時にユーザ２００の右耳に接触しない。【００２４】
左テンプル部１６は、フレーム１０の装着時にユーザ２００の左側頭部の外側に配置される部材である。本実施例では、左テンプル部１６の前端部１６ａは、フロント部１２の後面の左端部分と一体に形成されている。他の例では、左テンプル部１６はフロント部１２と別体に形成されていてもよい。その場合、左テンプル部１６の前端部１６ａがフロント部１２の後面の右端部分に接続されていればよい。本実施例では、右テンプル部１４と同様に、左テンプル部１６は、フレーム１０の装着時にユーザ２００の左耳に接触しない。また、本実施例では、左テンプル部１６は、コントロールボックス５０及び操作部６０を支持している。コントロールボックス５０は、左テンプル部１６の後端部１６ｂと一体に設けられている。操作部６０は、左テンプル部１６の下面に設けられている。【００２５】
右後方支持部７０は、フレーム１０の装着時にユーザ２００の右後頭部から右側頭部に亘る範囲に当接される部材である。図４に示すように、フレーム１０を平面視した場合において、右後方支持部７０は、後方から前方に向かって延びるように備えられている。即ち、右後方支持部７０の後端部７２は、右テンプル部１４の後端部１４ｂに接続されており、右後方支持部７０の前端部７４は、フレーム１０の内部空間（即ち、フロント部１２と右テンプル部１４と左テンプル部１６とによって囲まれる領域）の内側であって、後端部７２よりも前方（即ちフロント部１２に近づく方向）の位置に配置される。後端部７２と前端部７４との間の中間部７６は、フレーム１０の装着時におけるユーザ２００の右後頭部及び右側頭部に近接する方向に湾曲している。より詳しく言うと、中間部７６は、後端部７２から後方（即ちフロント部１２から離れる方向）に向かって伸びた後、ユーザ２００の右後頭部に近接する方向に伸び、さらにその後ユーザ２００の右後頭部及び右側頭部に沿うように前方に向かって伸びるように湾曲している。中間部７６は、フレーム１０の装着時におけるユーザ２００の頭部から離れる方向（即ち右テンプル部１４に近づく方向。外側方向と言い換えてもよい）に変形可能な弾性を備える。【００２６】
左後方支持部８０は、フレーム１０の装着時にユーザ２００の左後頭部から左側頭部に亘る範囲に当接される部材である。図４に示すように、フレーム１０を平面視した場合において、左後方支持部８０は、後方から前方に向かって延びるように備えられている。即ち、左後方支持部８０の後端部８２は、左テンプル部１６の後端部１６ｂに接続されており、左後方支持部８０の前端部８４は、フレーム１０の内部空間の内側であって、後端部８２よりも前方の位置に配置される。後端部８２と前端部８４との間の中間部８６は、フレーム１０の装着時におけるユーザ２００の左後頭部及び左側頭部に近接する方向に湾曲している。より詳しく言うと、中間部８６は、後端部８２から後方に向かって伸びた後、ユーザ２００の左後頭部に近接する方向に伸び、さらにその後ユーザ２００の左後頭部及び左側頭部に沿うように前方に向かって伸びるように湾曲している。中間部８６は、フレーム１０の装着時におけるユーザ２００の頭部から離れる方向（即ち左テンプル部１６に近づく方向。外側方向と言い換えてもよい）に変形可能な弾性を備える。【００２７】
右前方支持部９０は、フレーム１０の装着時にユーザ２００の右側頭部から右後頭部に亘る範囲に当接される部材である。図４に示すように、フレーム１０を平面視した場合において、右前方支持部９０は、前方から後方に向かって伸びるように備えられている。即ち、右前方支持部９０の前端部９２は、右テンプル部１４の前端部１４ａの近傍に接続され、後端部９４は、フレーム１０の内部空間の内側であって、前端部９２よりも後方の位置に配置される。前端部９２と後端部９４との間の中間部９６は、フレーム１０の装着時におけるユーザ２００の右側頭部及び右後頭部に近接する方向に湾曲している。また、中間部９６は、右側頭部及び右後頭部に沿うように湾曲している。中間部９６も、フレーム１０の装着時におけるユーザ２００の頭部から離れる方向（即ち右テンプル部１４に近づく方向。外側方向と言い換えてもよい）に変形可能な弾性を備える。また、図３に示すように、右前方支持部９０が右テンプル部１４に接続されている高さ（即ち図中のＺ軸方向の位置）は、右後方支持部７０が右テンプル部１４に接続されている高さと異なっている。本実施例では、右前方支持部９０は、右後方支持部７０よりも低い位置に接続されている。言い換えると、右前方支持部９０の中間部９６及び後端部９４の配置高さは、右後方支持部７０の中間部７６及び前端部７４の配置高さよりも低い。【００２８】
左前方支持部１００は、フレーム１０の装着時にユーザ２００の左側頭部から左後頭部に亘る範囲に当接される部材である。図４に示すように、フレーム１０を平面視した場合において、左前方支持部１００は、前方から後方に向かって伸びるように備えられている。即ち、左前方支持部１００の前端部１０２は、左テンプル部１６の前端部１６ａの近傍に接続され、後端部１０４は、フレーム１０の内部空間の内側であって、前端部１０２よりも後方の位置に配置される。前端部１０２と後端部１０４との間の中間部１０６は、フレーム１０の装着時におけるユーザ２００の左側頭部及び左後頭部に近接する方向に湾曲している。また、中間部１０６は、左側頭部及び左後頭部に沿うように湾曲している。中間部１０６も、フレーム１０の装着時におけるユーザ２００の頭部から離れる方向（即ち左テンプル部１６に近づく方向。外側方向と言い換えてもよい）に変形可能な弾性を備える。また、図３に示すように、左前方支持部１００が左テンプル部１６に接続されている高さ（即ち図中のＺ軸方向の位置）は、左後方支持部８０が左テンプル部１６に接続されている高さと異なっている。本実施例では、左前方支持部１００は、左後方支持部８０よりも低い位置に接続されている。言い換えると、左前方支持部１００の中間部１０６及び後端部１０４の配置高さは、左後方支持部８０の中間部８６及び前端部８４の配置高さよりも低い。【００２９】
以上のような構成を備えるフレーム１０を装着する場合、ユーザ２００は、フレーム１０を把持し、顔の前面側をフレーム１０の内部空間に差し込むようにする。この際、右前方支持部９０の中間部９６、右後方支持部７０の中間部７６、左前方支持部１００の中間部１０６、及び、左後方支持部８０の中間部８６は、ユーザ２００の頭部の形状に応じて適宜弾性変形する。これにより、右前方支持部９０が右側頭部から右後頭部に亘る範囲に当接され、右後方支持部７０が右後頭部から右側頭部に亘る範囲に当接され、左前方支持部１００が左側頭部から左後頭部に亘る範囲に当接され、左後方支持部８０が左後頭部から左側頭部に亘る範囲に当接される。また、右前方支持部９０と右後方支持部７０とによって、ユーザ２００の右側頭部及び右後頭部のうちの高さが異なる部分が保持され、左前方支持部１００と左後方支持部８０とによって、ユーザ２００の左側頭部及び左後頭部のうちの高さが異なる部分が保持される。さらに、ユーザ２００の鼻には鼻パッド１８が当接する。また、右テンプル部１４及び左テンプル部１６は、ユーザ２００の耳に接触しない。この結果、フレーム１０（即ち画像表示装置２）がユーザ２００の頭部に安定して装着される。【００３０】
右表示部２０、左表示部２２は、それぞれ、透光性の表示部材である。上記の通り、表示部２０，２２は、フレーム１０のフロント部１２に支持されている。ユーザ２００が画像表示装置２を頭部に装着すると、ユーザ２００の右眼に対向する位置に右表示部２０が配置され、左眼に対向する位置に左表示部２２が配置される。【００３１】
右投影部４０、左投影部４２は、それぞれ、右表示部２０、左表示部２２に画像を投影する部材である。本実施例では、投影部４０，４２は、コントロールボックス５０に内蔵されている制御部（図示省略）の指示に従って、所定の仮想画像（以下「オブジェクト画像」と呼ぶ）を表示部２０，２２に投影する。これにより、ユーザ２００は、表示部２０，２２越しにユーザ２００が視認可能な現実世界の対象物又は／及び空間の所定の位置に、上記オブジェクト画像が合成されたかの様に、現実世界の対象物又は／及び空間とオブジェクト画像とを見ることができる。【００３２】
カメラ３０は、画像表示装置２を装着するユーザ２００の視界範囲に対応する範囲を異なる角度から撮影する。コントロールボックス５０に内蔵されている制御部は、カメラ３０の撮影画像に基づいて、オブジェクト画像を表示部２０，２２に表示させる際の表示位置を調整する。本実施例では、画像表示装置２には１個のカメラ３０のみが設けられているが、他の例では、画像表示装置２は、２個以上のカメラを備えていてもよい。【００３３】
コントロールボックス５０は、上記の通り、左テンプル部１６の後端部１６ｂに備えられている箱体である。コントロールボックス５０には、画像表示装置２の制御系統を司る各要素（図示省略）が収容されている。本実施例では、コントロールボックス５０には、センサ、通信インターフェース、制御部と、メモリ、スピーカ等が収容されている。コントロールボックス５０に収容される制御部が、請求項の「制御部」の一例である。他の例では、コントロールボックス５０には、制御系統を司る各要素を駆動させるための電源バッテリが収容されていてもよい。なお、変形例では、画像表示装置２の制御系統を司る上記の各要素のうちの少なくとも一部が、コントロールボックス５０以外の部分（例えば、フロント部１２、右テンプル部１４、左テンプル部１６等）に収容されていてもよい。また、他の変形例では、画像表示装置２の制御系統を司る上記の各要素のうちの一部が、画像表示装置２とは異なる別の装置に設けられていてもよい。【００３４】
操作部６０は、上記の通り、左テンプル部１６の下面に備えられている。図２に示すように、操作部６０は、ボタン６２，６４，６６及びダイヤル６８を含む。ユーザ２００は、ボタン６２，６４，６６及びダイヤル６８を操作して、画像表示装置２に様々な操作を入力することができる。なお、変形例では、操作部６０は、画像表示装置２とは異なる別の装置（例えば画像表示装置２とは別個のコントローラ装置）として設けられていてもよい。【００３５】
以上、本実施例の画像表示装置２の構成について説明した。本実施例の画像表示装置２によると、フレーム１０の装着時に、右テンプル部１４及び左テンプル部１６は、ユーザ２００の側頭部の外側に配置され、ユーザ２００の耳の上には載置されない。そして、右後方支持部７０がユーザ２００の右後頭部及び右側頭部に亘る範囲に当接され、左後方支持部８０がユーザ２００の左後頭部及び左側頭部に亘る範囲に当接される。右後方支持部７０及び左後方支持部８０がユーザ２００の後頭部及び側頭部に亘って当接されることによって、画像表示装置２の重量による負荷がユーザ２００の後頭部及び側頭部に広く分散される。そのため、従来の眼鏡型の画像表示装置に比べて、ユーザ２００の頭部に安定して装着させることができる。従って、本実施例の画像表示装置２によると、装着時にユーザ２００の耳に加わる負担を軽減することができ、かつ、ユーザ２００の頭部に安定して装着させることができる。【００３６】
また、上記の通り、右後方支持部７０の中間部７６は、後端部７２から後方に向かって伸びた後、ユーザ２００の右後頭部に近接する方向に伸び、さらにその後ユーザ２００の右後頭部及び右側頭部に沿うように前方に向かって伸びるように湾曲している。同様に、左後方支持部８０の中間部８６は、後端部８２から後方に向かって伸びた後、ユーザ２００の左後頭部に近接する方向に伸び、さらにその後ユーザ２００の左後頭部及び左側頭部に沿うように前方に向かって伸びるように湾曲している。そのため、フレーム１０の装着時に、右後方支持部７０及び左後方支持部８０によって、ユーザ２００の後頭部及び側頭部を包むように支持することができる。従って、高い装着性及び安定性を実現することができる。【００３７】
また、上記の通り、本実施例の画像表示装置２は、さらに、右前方支持部９０及び左前方支持部１００を備える。そのため、右後方支持部７０及び左後方支持部８０によって、ユーザ２００の後頭部から側頭部に亘る範囲を後方から支持するとともに、右前方支持部９０及び左前方支持部１００によって、ユーザ２００の側頭部から後頭部に亘る範囲を前方から支持することができる。従って、より高い安定性を実現することができる。【００３８】
さらに、上記の通り、本実施例の画像表示装置２では、右前方支持部９０の中間部９６、右後方支持部７０の中間部７６、左前方支持部１００の中間部１０６、及び、左後方支持部８０の中間部８６は、それぞれ、外側方向に変形可能な弾性を有する。そのため、フレーム１０の装着時において、中間部９６、中間部７６、中間部１０６、及び、中間部８６が、ユーザ２００の頭部の形状に応じて適宜ユーザ２００の頭部から離れる方向（外側方向）に弾性変形する。これにより、フレーム１０の装着時に、フレーム１０をユーザ２００の頭部の形状に合わせてフィットさせることができる。そのため、ユーザ２００の頭部の形状にかかわらず、高い装着性を実現することができる。【００３９】
また、本実施例では、右前方支持部９０の中間部９６及び後端部９４の配置高さは、右後方支持部７０の中間部７６及び前端部７４の配置高さよりも低い。同様に、左前方支持部１００の中間部１０６及び後端部１０４の配置高さは、左後方支持部８０の中間部８６及び前端部８４の配置高さよりも低い。これにより、フレーム１０の装着時に、右前方支持部９０と右後方支持部７０とによって、ユーザ２００の右側頭部及び右後頭部のうちの高さ方向に異なる部分が保持され、左前方支持部１００と左後方支持部８０とによって、ユーザ２００の左側頭部及び左後頭部のうちの高さ方向に異なる部分が保持される。そのため、装着時におけるさらに高い安定性を実現することができる。【００４０】
また、本実施例では、フレーム１０を装着する場合、ユーザ２００は、フレーム１０を把持し、顔の前面側をフレーム１０の内部空間に差し込むようにする。即ち、ユーザ２００は、顔の前方から差し込むようにして画像表示装置２を装着することができる。そのため、ユーザ２００が頭部に帽子やヘルメット等を装着している場合であっても、ユーザ２００は、帽子やヘルメット等を脱ぐことなく画像表示装置２を装着することができる。特に、危険な作業のための作業現場等では、帽子やヘルメット等を脱ぐことが禁止されている場合がある。本実施例では、そのような現場においても、ユーザ２００は自由に画像表示装置２を着脱することができる。【００４１】
以上、実施例を詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を採用してもよい。【００４２】
（変形例１）上記実施例では、右前方支持部９０の中間部９６、右後方支持部７０の中間部７６、左前方支持部１００の中間部１０６、及び、左後方支持部８０の中間部８６は、それぞれ、外側方向に変形可能な弾性を有する。これに限られず、変形例では、中間部７６，８６，９６，１０６がいずれも弾性を有していなくてもよい。また、他の変形例では、右後方支持部７０の中間部７６と左後方支持部８０の中間部８６とのうちの一方のみが弾性を有していてもよい。また、さらに他の変形例では、右前方支持部９０の中間部９６と左前方支持部１００の中間部１０６とのうちの一方のみが弾性を有していてもよい。【００４３】
（変形例２）上記実施例では、画像表示装置２は、右前方支持部９０及び左前方支持部１００を備える。これに限られず、画像表示装置２は、右後方支持部７０及び左後方支持部８０を備えていれば、右前方支持部９０及び左前方支持部１００を備えていなくてもよい。【００４４】
（変形例３）また、画像表示装置２は、鼻パッド１８を備えていなくてもよい。その場合、画像表示装置２が、ユーザ２００のアイウェア（例えば眼鏡、サングラス等）の上から装着されてもよい。【００４５】
（変形例４）上記実施例では、右前方支持部９０の中間部９６及び後端部９４の配置高さは、右後方支持部７０の中間部７６及び前端部７４の配置高さよりも低い。同様に、左前方支持部１００の中間部１０６及び後端部１０４の配置高さは、左後方支持部８０の中間部８６及び前端部８４の配置高さよりも低い。これに限られず、中間部９６及び後端部９４の配置高さは、中間部７６及び前端部７４の配置高さよりも高くてもよい。同様に、中間部１０６及び後端部１０４の配置高さは、中間部８６及び前端部８４の配置高さよりも高くてもよい。【００４６】
（変形例５）上記実施例では、表示部２０，２２は透光性のディスプレイである。これに限られず、表示部２０，２２が遮光性のディスプレイであってもよい。【００４７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
0006723383.tif 000002
【図２】
0006723383.tif 000003
【図３】
0006723383.tif 000004
【図４】
0006723383.tif 000005
【図５】
0006723383.tif 000006